(57)【要約】【課題】手動で時刻修正がなされた場合、指針位置修正が機能することによって時刻表示がずれる不具合を回避できる電波修正時計、および電波修正時計の制御方法を提供すること。【解決手段】電波修正時計は、受信した時刻情報に基づいて時刻カウンタの計数値を修正する電波修正工程Ｓ６０と、指針の位置の検出結果と時刻カウンタの計数値とに基づいて指針の位置を修正する指針位置修正工程とをそれぞれ行う修正制御手段を備え、外部操作部材による手動修正がなされた場合には、この修正制御手段により制御される修正制御工程Ｓ９０を実施し、修正制御工程Ｓ９０では、電波受信が成功して内部時刻カウンタの計数値が修正されるまで、少なくとも時分針の位置を修正しない。【選択図】図１３
2008064530.tif 000002
【特許請求の範囲】
【請求項１】
時刻を計数する時刻カウンタと、
少なくとも時刻を表示する時針および分針が含まれる複数の指針と、
前記指針を駆動する駆動手段と、
時刻情報を受信する受信手段を有してその受信した時刻情報に基づいて前記時刻カウンタの計数値を修正する電波修正手段と、
前記指針の位置を検出する指針位置検出手段と、
前記指針位置検出手段による検出結果および前記時刻カウンタの計数値に基づいて前記指針の位置を修正する指針位置修正手段と、
前記指針の位置および前記時刻カウンタの計数値を外部から修正可能な外部操作部材と、
前記外部操作部材の操作によって前記指針の位置および時刻カウンタの計数値が修正された場合に用いられ、前記時刻情報の受信が成功し前記電波修正手段による前記時刻カウンタの計数値が受信した前記時刻情報に修正されるまで、少なくとも前記時針および前記分針の位置修正を前記指針位置修正手段に行わせない修正制御手段と、を備える
ことを特徴とする電波修正時計。
【請求項２】
請求項１に記載の電波修正時計において、
前記指針位置修正手段による処理は、定期的に行われ、
前記電波修正手段は、前記時刻情報の受信に成功した際に、前記時刻カウンタの計数値を修正するが、少なくとも前記時針および前記分針の位置修正を行わない
ことを特徴とする電波修正時計。
【請求項３】
請求項１または２に記載の電波修正時計において、
前記複数の指針には、秒針が含まれ、
前記複数の指針を駆動する複数の駆動手段を有し、
前記修正制御手段は、前記秒針に対する前記指針位置修正手段による処理を前記指針位置修正手段に定期的に行わせる
ことを特徴とする電波修正時計。
【請求項４】
請求項３に記載の電波修正時計において、
前記電波修正手段は、前記時刻情報の受信に成功した際に、前記時刻カウンタの計数値を修正するとともに、前記秒針の位置修正を前記指針位置修正手段に行わせる
ことを特徴とする電波修正時計。
【請求項５】
請求項１に記載の電波修正時計において、
前記電波修正手段は、前記時刻情報の受信に成功した際に、前記時刻カウンタの計数値を修正するとともに、少なくとも前記時針および前記分針の位置修正を前記指針位置修正手段に行わせる
ことを特徴とする電波修正時計。
【請求項６】
請求項１から５のいずれかに記載の電波修正時計において、
前記駆動手段は、ステッピングモータとされ、
前記指針位置検出手段は、前記ステッピングモータの１ステップ毎に、前記指針位置の検出動作を行う
ことを特徴とする電波修正時計。
【請求項７】
請求項１から６のいずれかに記載の電波修正時計において、
前記指針位置検出手段は、発光素子とこの発光素子からの光束を受光する受光素子とを有し、
前記指針に連動する連動部材には、前記指針の位置が所定の基準位置と一致するときにのみ前記発光素子からの光束が通過可能な検出孔が形成されている
ことを特徴とする電波修正時計。
【請求項８】
時刻を計数する時刻カウンタと、時刻情報を受信する受信手段と、少なくとも時刻を表示する時針および分針が含まれる複数の指針と、前記指針を駆動する駆動手段と、前記指針の位置を検出する指針位置検出手段と、を備えた電波修正時計の制御方法であって、
受信した時刻情報に基づいて前記時刻カウンタの計数値を修正する電波修正工程と、
前記指針位置検出手段による検出結果および前記時刻カウンタの計数値に基づいて前記指針の位置を修正する指針位置修正工程と、
外部からの操作によって前記指針の位置および前記時刻カウンタの計数値が修正された場合に実施され、前記電波修正工程において前記時刻情報の受信が成功し前記時刻カウンタの計数値が受信した前記時刻情報に修正されるまで、少なくとも前記時針および前記分針についての前記指針位置修正工程を行わない修正制御工程と、を備える
ことを特徴とする電波修正時計の制御方法。
【発明の詳細な説明】
【技術分野】
【０００１】
本発明は、指針を駆動してアナログ式の時刻表示を行うとともに、受信した時刻情報に基づいて時刻修正を行う電波修正時計、および電波修正時計の制御方法に関する。
【背景技術】
【０００２】
従来、外部から時刻情報を受信して時刻修正を行う電波時計が知られ、このような電波修正時計では、時刻情報の受信により、時計体内部の時刻カウンタの計数値（内部時刻）が受信した計時情報に修正されるため、時刻修正が自動的にかつ正確に行われる。
ここで、指針を駆動してアナログ式の時刻表示を行う電波修正時計は、時刻情報を受信する受信手段と、時刻カウンタと、ステッピングモータ等の駆動手段と、駆動手段により駆動される指針とを備えている。このようなアナログ表示式電波修正時計では、磁気や落下衝撃により時刻カウンタの計数値に対して指針の位置がずれた場合、電波を受信して時刻カウンタが受信した時刻情報に修正されても正しい時刻が表示されないおそれがある。
このため、従来は面倒な基準位置合わせの操作により指針位置を修正していたが、近年では、毎正時など定期的に、指針位置と時刻カウンタの計数値とが一致しているか否かを検出し、指針位置がずれている場合は、自動的に指針位置を時刻カウンタの計数値に修正する指針位置自動修正機能が装備されている。
【０００３】
この指針位置自動修正機能に必要とされる指針位置検出手段としては、発光素子と受光素子とを備える光センサを利用したものなどが知られている（例えば特許文献１、２）。このような指針位置検出手段では、発光素子と受光素子との間に、光束が通過する孔が形成され指針に連動する中間車などが配置されている。指針位置を検出する際には、発光素子から検出光を発する。中間車が基準位置にある際には、検出光が孔を通過して直接に、あるいは反射板で反射されて間接的に受光素子に入射するため、指針が正時などの基準位置に帰零したことがわかる。
【０００４】
このような指針位置の検出結果に基いて、指針位置を内部時刻に一致させる自動修正が定期的に行われる。
図１６は、指針位置自動修正の工程例を示し、ここでは、秒針の位置修正が毎正分（０秒）に行われ、時分針の位置修正は０時０分および１２時０分（１２時間表示式の場合）に行われる。
すなわち、Ｓ２において強力な磁石などの外部磁気の影響によりステッピングモータが正常に回転できずに指針の駆動が停止し、指針表示が内部時刻から４分５秒間遅れた場合、直後の秒針帰零時（正分時）Ｓ３において、秒針位置を検出し、秒針を早送り、あるいは逆転させて秒針位置を内部時刻の秒と一致させる。この秒針位置修正により、秒針の狂いが修正される。
続いて、０時０分または１２時０分におけるＳ４において、時針および分針の位置を検出し、これら時針および分針を早送り、あるいは逆転させてその指針位置を時刻カウンタの時、分とそれぞれ一致させる（Ｓ５）。この時分針位置修正により、時分針の狂いが修正され、Ｓ２で遅れた時刻表示の修正がＳ５で完了する。
【０００５】
【特許文献１】特開平５−２０９９７０号公報
【特許文献２】特許第２６４８０７９号公報
【発明の開示】
【発明が解決しようとする課題】
【０００６】
上述のように、指針位置修正機能を有するアナログ表示式の電波修正時計では、受信した時刻情報に基いて内部時刻を修正し、また、磁気や振動等で指針の位置が狂った場合でも、指針位置を検出して内部時刻に一致させる自動修正を行うことにより、時刻修正を自動化している。
しかしながら、磁気や振動等で指針位置が進んだり遅れたりした際、指針位置自動修正が行われる前に、ユーザーがリューズ、ボタンなどの外部操作部材で手動修正を行う場合があり、このような場合、内部時刻が本来の時刻からずれてしまう。例えば、図１７のＳ４において指針位置を４分間進める手動修正は、ユーザーは想定していないが内部時刻を４分間進めることになる。この後のＳ６における０時０分または１２時０分の自動修正で、この内部時刻に指針位置を一致させる処理が行われるため、時刻表示が４分進んでしまう（Ｓ８）。
【０００７】
本発明の目的は、手動で時刻修正がなされた場合に指針位置修正が機能することによって指針の時刻表示が実際の時刻に対してずれる不具合を回避できる電波修正時計、および電波修正時計の制御方法を提供することにある。
【課題を解決するための手段】
【０００８】
本発明の電波修正時計は、時刻を計数する時刻カウンタと、少なくとも時刻を表示する時針および分針が含まれる複数の指針と、前記指針を駆動する駆動手段と、時刻情報を受信する受信手段を有してその受信した時刻情報に基づいて前記時刻カウンタの計数値を修正する電波修正手段と、前記指針の位置を検出する指針位置検出手段と、前記指針位置検出手段による検出結果および前記時刻カウンタの計数値に基づいて前記指針の位置を修正する指針位置修正手段と、前記指針の位置および前記時刻カウンタの計数値を外部から修正可能な外部操作部材と、前記外部操作部材の操作によって前記指針の位置および時刻カウンタの計数値が修正された場合に用いられ、前記時刻情報の受信が成功し前記電波修正手段による前記時刻カウンタの計数値が受信した前記時刻情報に修正されるまで、少なくとも前記時針および前記分針の位置修正を前記指針位置修正手段に行わせない修正制御手段と、を備えることを特徴とする。
【０００９】
この発明によれば、外部操作による時刻修正がなされた場合において、修正制御手段により、計時情報の受信が成功し時刻カウンタの計数値が受信した時刻情報に修正されるまでは、少なくとも時針および分針の時刻カウンタ計数値に基づく位置修正が行われない。その結果、電波修正手段による時刻カウンタの修正が時針および分針の位置修正に先行する。
すなわち、磁気、振動、衝撃などによる外乱で指針位置が狂った際、指針位置をユーザーが外部操作部材で手動修正することによって時刻カウンタの計数が実際の時刻に対してずれても、この誤った時刻カウンタの計数値に基づいて指針位置が修正される不具合を回避できる。これにより、指針位置の自動修正後に時計が誤作動したとユーザーが感じるなどの不便を無くすことができる。
ここで、外部操作部材による手動修正は、時報などに合わせて略正確に行われることが多いため、指針位置修正がなされる以前においても、通常の時計の使用に差し支えない。
以上により、時刻修正が自動でかつ正確に行われる電波修正時計の取扱性を向上させることができる。
【００１０】
なお、電波修正手段による処理は、設定されたスケジュールに基づいて定期的に行われたり、外部からユーザーが操作可能な部材により強制的に行われたりして良い。
また、本発明の電波修正時計は、秒針を備えていなくてもよい。秒は、例えば液晶画面などでデジタル表示されていてもよい。
指針位置検出手段としては、前述の発光素子および受光素子を備える光式センサのほか、ホール素子を用いた磁気式センサなども例示できる。
【００１１】
本発明の電波修正時計では、前記指針位置修正手段による処理は、定期的に行われ、前記電波修正手段は、前記時刻情報の受信に成功した際に、前記時刻カウンタの計数値を修正するが、少なくとも前記時針および前記分針の位置修正を行わないことが好ましい。
【００１２】
この発明によれば、計時情報の受信に成功した際に、時刻カウンタの計数値のみが受信した時刻情報に修正され、少なくとも時針および分針の時刻カウンタ計数値に基づく位置修正は行われない。また、指針位置修正は定期的に行われており、計時情報の受信成功によって時刻カウンタの計数値が正しい時刻に修正された後に到来した時分針の指針位置修正の処理において、時刻カウンタの計数値に合わせて時分針の位置が修正される。
すなわち、受信が成功した際、時刻カウンタの計数値を受信した計時情報に修正するのみで、時分針の時刻カウンタ計数値に基づく位置修正は後で行うので、電波修正の処理から通常の時刻表示（通常運針）に迅速に復帰し、現在時刻が表示されるまでユーザーを殆ど待たせることはない。これにより、取扱性をより向上させることができる。
【００１３】
なお、指針位置修正を行う周期は各指針ごとに決めてよく、例えば、秒針については毎正分（毎０秒）、時分針については毎０時０分、毎１２時０分などを例示できる。
【００１４】
本発明の電波修正時計では、前記複数の指針には、秒針が含まれ、前記複数の指針を駆動する複数の駆動手段を有し、前記修正制御手段は、前記秒針に対する前記指針位置修正手段による処理を前記指針位置修正手段に定期的に行わせることが好ましい。
【００１５】
この発明によれば、秒針位置の修正が定期的に行われるので、磁気や衝撃などによる指針の進みまたは遅れがその定期修正の周期未満の場合、秒針位置が自動修正される前にユーザーがその遅れや進みに気づく可能性を低くできる。つまり、ユーザーに手動修正の手間を掛けさせない。
また、毎分、秒針位置を時刻カウンタの計数値に修正するように構成することによって秒針の狂いを迅速に解消できるとともに、外部操作部材の操作時に秒針を帰零し、分単位で修正するように構成すれば、手動修正の操作を容易化できる。
【００１６】
本発明の電波修正時計では、前記電波修正手段は、前記時刻情報の受信に成功した際に、前記時刻カウンタの計数値を修正するとともに、前記秒針の位置修正を前記指針位置修正手段に行わせることが好ましい。
【００１７】
時計の水晶の発振周波数の誤差などにより、時刻カウンタの計数値が１日に秒単位やコンマ秒単位で正確な時刻に対してずれる場合があるため、外部操作部材による手動修正が正確に行われていたり、時刻カウンタ計数値に基づいて指針の位置修正が行われても、その後の電波受信時には、時刻表示が正確な時刻からコンマ秒単位等でずれている場合がある。そこで、本発明のように受信した時刻情報に基づいて時刻カウンタを修正したうえでこの時刻カウンタの計数値に一致するように秒針の位置修正を行うことで、時刻表示の正しさを良好に維持できる。
【００１８】
本発明の電波修正時計では、前記電波修正手段は、前記時刻情報の受信に成功した際に、前記時刻カウンタの計数値を修正するとともに、少なくとも前記時針および前記分針の位置修正を前記指針位置修正手段に行わせることが好ましい。
【００１９】
この発明によれば、前記発明とは異なり、計時情報の受信が成功した際に、受信した時刻情報に修正された時刻カウンタ計数値に基づいて少なくとも時針および分針の位置修整を行うので、時分針の位置修正処理の次回周期の到来を待つことなく、指針位置を早期に修正することができる。
【００２０】
本発明の電波修正時計では、前記駆動手段は、ステッピングモータとされ、前記指針位置検出手段は、前記ステッピングモータの１ステップ毎に、前記指針位置の検出動作を行うことが好ましい。
【００２１】
この発明によれば、ステッピングモータで駆動される指針の位置をステッピングモータの１ステップ毎に検出することにより、例えば指針に連動する中間車の回動角検出などの複雑な処理を必要とせずに、ステッピングモータの駆動パルスを計数する簡単な処理によって指針の位置を検出することが可能となる。
また、指針位置検出手段による検出動作を継続的に行うのではなく、ステッピングモータの１ステップ毎に間欠的に検出することにより、指針の位置検出に関して低消費電力化できる。
【００２２】
本発明の電波修正時計では、前記指針位置検出手段は、発光素子とこの発光素子からの光束を受光する受光素子とを有し、前記指針に連動する連動部材には、前記指針の位置が所定の基準位置と一致するときにのみ前記発光素子からの光束が通過可能な検出孔が形成されていることが好ましい。
【００２３】
この発明によれば、磁気式センサなどと比べて、指針位置検出手段の構成を簡略化できる。また、複数の指針がそれぞれ基準位置にあるときに各連動部材の孔の位置が互いに一致するように各連動部材の位相を設定すれば、発光素子と受光素子とを複数の指針の位置検出に共用でき、構成をより簡略にできる。
【００２４】
本発明の電波修正時計の制御方法は、時刻を計数する時刻カウンタと、時刻情報を受信する受信手段と、少なくとも時刻を表示する時針および分針が含まれる複数の指針と、前記指針を駆動する駆動手段と、前記指針の位置を検出する指針位置検出手段と、を備えた電波修正時計の制御方法であって、受信した時刻情報に基づいて前記時刻カウンタの計数値を修正する電波修正工程と、前記指針位置検出手段による検出結果および前記時刻カウンタの計数値に基づいて前記指針の位置を修正する指針位置修正工程と、外部からの操作によって前記指針の位置および前記時刻カウンタの計数値が修正された場合に実施され、前記電波修正工程において前記時刻情報の受信が成功し前記時刻カウンタの計数値が受信した前記時刻情報に修正されるまで、少なくとも前記時針および前記分針についての前記指針位置修正工程を行わない修正制御工程と、を備えることを特徴とする。
【００２５】
この発明によれば、前述の電波修正時計の発明と同様の作用効果を奏する。
【発明の効果】
【００２６】
本発明によれば、アナログ表示式の電波修正時計において、手動で時刻修正がなされた場合に指針位置修正が機能することによって指針の時刻表示が実際の時刻に対してずれる不具合を回避できる。
【発明を実施するための最良の形態】
【００２７】
〔第１実施形態〕
以下、本発明の第１実施形態について図面を参照して説明する。
なお、第２実施形態以降の説明において、以下に説明する第１実施形態と同様の構成については、同一符号を付して、説明を省略もしくは簡略化する。
【００２８】
［１．全体構成］
図１には、本発明の第１実施形態における時計１の平面図が示されている。また、図２には、時計１の側断面図が示されている。時計１は、時刻情報が重畳された標準電波を受信して時刻修正を行う１２時間表示式の電波修正時計であり、指針位置検出機能を装備する。
時計１は、時刻を表示する指針２（図２）と、指針２を駆動する指針用駆動手段２０と、日付（暦）を表示するリング状の日車３０（図２）と、日車３０を駆動する暦用駆動手段３１と、電池４０を収納する電源収納部４１と、標準電波を受信するアンテナ５０と、外部からユーザーが操作可能な外部操作部材５と、平面形状略円形の地板１０とを備える。
【００２９】
なお、図１は、時計１の時刻表示側とは反対側（裏蓋側）から見た図であり、この図において、上方向が時計１の３時方向、下方向が９時方向、右方向が１２時方向、左方向が６時方向となっている。
【００３０】
［２．指針用駆動機構の構成］
図３は、図１の部分拡大図であり、指針用駆動機構を示す。
指針２（図２）には、地板１０の略中央を中心に同軸上にそれぞれ回動可能に設けられた秒針２Ａと、分針２Ｂと、時針２Ｃとがある。
指針用駆動手段２０には、秒針２Ａを駆動するための秒針モータ２１と、時針２Ｃおよび分針２Ｂを駆動するための時分針モータ２６とがある。
また、秒針２Ａと秒針モータ２１との間には、秒針モータ２１からの駆動力を秒針２Ａに伝達する秒針用減速輪列２２が設けられ、時針２Ｃおよび分針２Ｂと時分針モータ２６との間には、時分針モータ２６からの駆動力を時針２Ｃおよび分針２Ｂに伝達する時分針用減速輪列２７が設けられている。
【００３１】
［２−１．秒針用駆動機構の構成］
秒針モータ２１は、ステッピングモータで構成されて時計１の略９時方向に配設され、ロータ磁石２１１Ｂを有するロータ２１１と、ロータ２１１を回転可能に保持するステータ２１２と、ステータ２１２に接するコイル２１３とを備えている。
【００３２】
秒針用減速輪列２２は、ロータ２１１に一体的に形成されたロータかな２１１Ａに噛合する秒中間車２２１と、秒中間車２２１に噛合する四番車２２２とを備えている。四番車２２２には、秒針２Ａが固定されている。
コイル２１３にモータパルスを流すと、電磁誘導によりステータ２１２に磁路が形成され、ロータ２１１が１パルスで半回転する。この回転運動は、ロータかな２１１Ａ、秒中間車２２１、および四番車２２２の順に適切な減速比（増速比）で減速されながら伝達され、秒針２Ａが１パルス１秒の所定速度で回動する。
【００３３】
秒中間車２２１には、秒針２Ａの１２時位置を検出するための秒検出車２２３が噛合されている。秒中間車２２１および秒検出車２２３には、互いに重なりあう領域に、それぞれ検出孔２２１Ａ，２２３Ａが形成されており、秒中間車２２１および秒検出車２２３の位相は、秒針２Ａが１２時の位置に配置されたときにこれらの検出孔２２１Ａ，２２３Ａの位置が一致するように設定されている。つまり、１２時位置（正分、０秒）が秒針２Ａの基準位置である。ここで、秒検出車２２３は、四番車２２２と同じ径寸法に形成されているため、検出孔２２１Ａ，２２３Ａは１分間に一度、位置が一致するようになっている。
【００３４】
検出孔２２１Ａ，２２３Ａが一致する位置には、指針位置検出手段としての図示しないフォトセンサが設けられている。このフォトセンサは、秒中間車２２１および秒検出車２２３を厚み方向に挟んで互いに対向する発光素子および受光素子を備えている。秒中間車２２１と秒検出車２２３が回動して検出孔２２１Ａ，２２３Ａが一致すると、フォトセンサの発光素子からの光が検出孔２２１Ａ，２２３Ａを貫通して受光素子で受光されるため、秒針２Ａの位置が１２時であることが検出される。
【００３５】
［２−２．時分針用駆動機構の構成］
時分針モータ２６は、秒針モータ２１と同様にステッピングモータで構成されて時計１の略３時方向に配設され、ロータ磁石２６１Ｂを有するロータ２６１と、ロータ２６１を回転可能に保持するステータ２６２と、ステータ２６２に接するコイル２６３とを備えている。
【００３６】
時分針用減速輪列２７は、ロータ２６１に一体的に形成されたロータかな２６１Ａに噛合する五番車２７１と、五番車２７１に噛合する三番車２７２と、三番車２７２に噛合する二番車２７３と、二番車２７３に噛合する日の裏車２７４と、日の裏車２７４に噛合する筒車２７５とを備える。
二番車２７３および筒車２７５は、四番車２２２と同軸上に配置され、二番車２７３には分針２Ｂが、筒車２７５には時針２Ｃが固定されている。コイル２６３に５秒周期でモータパルスを流すと、電磁誘導によりステータ２６２に磁路が形成され、ロータ２６１が１パルスで半回転する。この回転運動は、ロータかな２６１Ａ、五番車２７１、三番車２７２、二番車２７３の順に適切な減速比（増速比）で減速されながら伝達され、二番車２７３および分針２Ｂが１時間で一周する速度で回動する。
【００３７】
また、二番車２７３の回転運動は、日の裏車２７４、筒車２７５の順に適切な減速比（増速比）で減速されながら伝達されて、筒車２７５および時針２Ｃが１２時間で１周する速度で回動する。
【００３８】
五番車２７１、三番車２７２、二番車２７３、四番車２２２、および筒車２７５には、互いに重なり合う領域にそれぞれ検出孔２７１Ａ，２７２Ａ，２７３Ａ，２２２Ａ，２７５Ａが形成されている。時針２Ｃ、分針２Ｂ、および秒針２Ａが１２時の位置に配置された時に、これらの検出孔２７１Ａ，２７２Ａ，２７３Ａ，２２２Ａ，２７５Ａの位置が一致するように設定されている。つまり、秒針２Ａの他、時針２Ｃおよび分針２Ｂの基準位置も１２時位置（１２時０時、０時０分）である。
【００３９】
［２−３．指針位置検出手段の構成］
図４は、五番車２７１、三番車２７２、二番車２７３、四番車２２２、および筒車２７５の側断面図である。検出孔２７１Ａ，２７２Ａ，２７３Ａ，２２２Ａ，２７５Ａが一致する位置には、秒針モータ２１に設けられた透過型のフォトセンサと同様のフォトセンサが時針２Ｃ、分針２Ｂ、および秒針２Ａの指針位置検出手段として設けられている。
検出孔２７１Ａ，２７２Ａ，２７３Ａ，２２２Ａ，２７５Ａの位置が一致すると、発光素子６から射出された光を受光素子７が受光して検知し、これにより時針２Ｃ、分針２Ｂ、および秒針２Ａが全て１２時位置、つまり、基準位置にあることが検出される。
すなわち、本実施形態では、発光素子６が地板１０とソーラパネル（発電部）４との間に配置された回路ブロック６Ａに実装され、また、受光素子７が輪列受８を覆う回路ブロック７Ａに実装されているが、これらの素子６，７間に５つの車２７１，２７２，２７３，２２２，２７５が配置されている。なお、地板１０には透光孔１０Ａが形成されている。
【００４０】
ここで、時針２Ｃの基準位置は１２時間周期で巡ってくるため、同じく１２時間周期で回転する筒車２７５に検出孔２７５Ａを形成することで、時針２Ｃを含めた指針２の基準位置を３６０度ある表示領域のうち１２時位置の一箇所に特定できる。
【００４１】
なお、前述のフォトセンサにおいて、発光素子６と受光素子７との位置関係は反対であってもよい。また、透過型フォトセンサではなく、反射型フォトセンサであってもよい。
さらには、光学式センサに限らず、例えば、秒検出車２２３や秒中間車２２１の周上に磁気パターンを形成し、この磁気パターンをホール素子などで読み取ることによって秒針２Ａの位置を検出するなどの磁気式センサであってもよい。
【００４２】
本実施形態では、秒針２Ａと時分針２Ｃ，２Ｂとが別々のモータ２１，２６で駆動され、かつ、時分針２Ｃ，２Ｂが取り付けられた二番車２７３や筒車２７５とは平面的に重ならない位置に秒検出車２２３が設けられ、この位置にあるフォトセンサで秒針２Ａの位置が時分針２Ｃ，２Ｂの位置とは別途検出される。このような構成により、秒針２Ａと時分針２Ｃ，２Ｂとを個別に効率よく回転させて基準位置にそれぞれ合わせることができる。
また、時分針２Ｃ，２Ｂが単独の時分針モータ２６で駆動されるので、例えば時差修正を行うのに好都合である。
ここで、時分針位置検出部に四番車２２２の検出孔２２２Ａが重なっており、秒針２Ａが基準位置にある時間は時分針２Ｃ，２Ｂが基準位置にある時間よりも短いため、時分秒の各指針位置の検出を行う際には処理の順序がある。まず、秒針２Ａの位置を検出してから、時分針２Ｃ，２Ｂの位置を検出する。
【００４３】
［３．暦用駆動機構の構成］
図２に戻り、日車３０は、地板１０において指針用駆動手段２０が設けられた側とは反対側の面に対向して設けられている。この日車３０の上方には、文字板３が設けられており、この文字板３の外周部の一部には、日付を表示するための窓部（図示せず）が設けられ、この窓部から日車３０の一部が日付として視認可能となっている。
なお、文字板３は、ガラスなどの光透過性を有する材料で構成されており、文字板３と地板１０との間には、入射した光によって発電する発電手段としてのソーラパネル４が配置されている。
日車３０は、ソーラパネル４と地板１０との間に配置され、日車３０の文字板３側の面には、日付を表す「１」から「３１」の文字が印刷などによって表示されている。日車３０の内周面には内歯車が形成されている。
【００４４】
図１に示されるように、暦用駆動手段３１は、指針用駆動手段２０と同様に、ロータ３１１、ステータ３１２、およびコイル３１３で構成されるステッピングモータであり、時計１の略５時方向に配設されている。
【００４５】
日車３０と暦用駆動手段３１との間には、暦用駆動手段３１からの駆動力を日車３０に伝達する暦用輪列３３が設けられている。暦用輪列３３は、ロータ３１１に一体的に形成されるロータかな３１１Ａに噛合する日回し第一中間車３３１と、日回し第一中間車３３１に噛合する日回し第二中間車３３２と、日回し第二中間車３３２に噛合する日回し車３３３とを備える。日回し車３３３は、地板１０を貫通して文字板３側に図示しない歯車を有し、この歯車が日車３０の内歯車に噛合される。
コイル３１３にモータパルスを流すと、電磁誘導によりステータ３１２に磁路が形成され、ロータ３１１が回転する。この回転は、ロータかな３１１Ａ、日回し第一中間車３３１、日回し第二中間車３３２、日回し車３３３の順に伝達され、日回し車３３３の回転によって日車３０が回転し、表示される日付が変更される。
【００４６】
［４．電源部の構成］
電源収納部４１には、電池４０が収納されている。電池４０は、二次電池であり、ソーラパネル４で発生した起電力は、この電池４０に充電される。
【００４７】
［５．アンテナの構成］
アンテナ５０は、アンテナコア５１と、アンテナコア５１を収納するコア収納部５２と、コア収納部５２の一部に巻き回されるコイル５３とを備える。
アンテナコア５１は、アモルファスの薄板を複数枚積層して構成され、略中央に形成される略矩形状の直線部５１１と、直線部５１１の両端側に地板１０の外縁に沿って略円弧状に湾曲して形成される湾曲部５１２とを備える。
コア収納部５２は絶縁材料で構成され、アンテナコア５１と同様に略中央に形成される棒状の直線部５２１と直線部５２１の両端側に地板１０の外縁に沿って略円弧状に湾曲して形成される湾曲部５２２とを備える。コア収納部５２において地板１０に対向する面には、凹状部が形成され、この凹状部にアンテナコア５１が収納されている。コア収納部５２が地板１０にねじ止めされることにより、アンテナ５０は、地板１０に固定されている。
コイル５３は、コア収納部５２の直線部５２１に巻き回されている。コア収納部５２の直線部５２１の両端にはフランジ部５２３が形成されており、このフランジ部５２３によってコイル５３の巻きほどけが防止され、所定巻き数のコイル５３が均一に形成される。
【００４８】
コア収納部５２の一方の湾曲部５２２には、コイル５３の端部が接続された回路基板５４が固定されている。
回路基板５４は、絶縁材料で構成されるフレキシブル基板で構成され、この回路基板５４上には、アンテナ５０の同調周波数調整用のコンデンサ５４１が複数個実装されている。この回路基板５４は、コア収納部５２の端部において裏蓋側の回路ブロック７Ａ（図４）に導通している。
【００４９】
［６．回路ブロックの構成］
回路ブロック７Ａは、前述の受光素子７の他、図示を省略するが、計時用の水晶振動子や、アンテナ５０で受信した標準電波を処理する受信用ＩＣおよびバンドパスフィルタ用水晶振動子、ＣＰＵ等とを備えて構成されている。
受信用ＩＣは、アンテナ５０で受信した標準電波を復調する復調回路や、受信信号を増幅する増幅回路などを備えて構成されている。
【００５０】
［７．外部操作部材の構成および作用］
外部操作部材５は、時計１の略３時方向に配設されるリューズ５Ａ（図５）と、時計の略２時方向および略４時方向にそれぞれ配設されたボタン５Ｂ，５Ｃ（図５）とを有して構成されている。
リューズ５Ａは、巻真５Ｄ（図１）に設けられており、この巻真５Ｄは、リューズ５Ａによって軸方向に引き出される量によって複数のモードに切換可能なスイッチング機能を有し、例えば巻真５Ｄを一段引き出すと日車３０の修正モードとなり、ボタン５Ｃを押すことによって日車３０を回動させることが可能となる。
【００５１】
また、例えば巻真５Ｄを二段引き出すと、時刻修正モードとなる。
図５は、リューズ５Ａと、ボタン５Ｃとを操作することにより、時刻修正を行う手順（Ａ）〜（Ｅ）を示す。
まず、リューズ５Ａによって巻真５Ｄを二段引き出すと（Ａ）、時針２Ｃ、分針２Ｂ、秒針２Ａの運針が停止し、さらにボタン５Ｃを押すと（Ｂ）、秒針２Ａが１２時位置に帰零して分針２Ｂおよび時針２Ｃを分単位で修正する時刻修正モードが開始する。なお、操作を誤って巻真５Ｄを引き出した際は、ボタン５Ｃを押さないで巻真５Ｄを元の位置に戻せばよく、これによって通常時刻表示の運針が再開する。
【００５２】
図５（Ｂ）により時刻修正モードとなったら、ボタン５Ｃを一度押すことにより（Ｃ）、分針２Ｂおよび時針２Ｃが１ステップ分回動して時刻が１分進む。また、ボタン５Ｃを数秒間続けて押すと時刻の早送りがスタートし、ボタン５Ｃを再度押すことによって、運針が停止する（Ｄ）。なお、これらの修正動作の際、指針２の回動と共に時計内部の時刻カウンタ４０４もカウントアップされる。
これらの（Ｃ）および（Ｄ）の手順で時分を合わせ、時報などに合わせてリューズ５Ａを押し戻すことにより、秒針２Ａの運針が０秒からスタートして通常運針に復帰する。なお、時報などを使わずにラフに修正しても勿論良い。
【００５３】
ボタン５Ｂ，５Ｃの操作により、標準電波の受信を行ったり、標準電波の受信可能状況や前回の受信結果を表示させることができる。標準電波の受信は、後述する受信スケジュール手段によって自動で行われるが、これらのボタン５Ｂ，５Ｃにより、標準電波を強制的に受信することも可能である。
標準電波の強制受信操作の手順については説明を省略する。なお、ボタン５Ｂ，５Ｃの操作により秒針２Ａが移動し、電波受信可能な環境であるか否かを秒針２Ａの指示位置に応じて判別可能となっている。
【００５４】
［８．制御手段の構成］
次に、時計１の動作を制御する制御手段の構成に関し、図６のブロック図を参照して説明する。
［８−１．制御手段の全体構成］
制御手段４００は、分周回路４０１、駆動信号発生回路４０２、時刻表示駆動回路４０３、時刻カウンタ４０４、指針位置検出手段４０５、指針位置カウンタ４０６、指針位置内部時刻比較手段４０７、電圧検出手段４０８、および制御部４０９を備え、これらの構成は、ＩＣ（Integrated Circuit）や各種素子として実装されている。
制御部４０９は、分周回路４０１、駆動信号発生回路４０２、受信手段４３０、時刻カウンタ４０４、指針位置内部時刻比較手段４０７、指針位置検出手段４０５、および電圧検出手段４０８をそれぞれ制御する。
【００５５】
［８−２．計時手段および指針等駆動手段の構成］
分周回路４０１は、制御部４０９で制御され、発振回路４１０が出力する発振信号を分周し、所定周波数の信号を基準クロックとして生成する。分周回路４０１は、生成した１Ｈｚの基準クロックパルス信号を駆動信号発生回路４０２、時刻カウンタ４０４、制御部４０９にそれぞれ出力する。
なお、発振回路４１０の構成は、水晶振動子などの基準信号源を高周波発振させる公知のものであるため、説明を省略する。
【００５６】
駆動信号発生回路４０２は、基準クロックに基いて時刻表示駆動回路４０３を駆動する駆動信号を発生する。
時刻表示駆動回路４０３は、時刻表示手段４２０を駆動する回路である。本実施形態の時刻表示手段４２０は、秒針モータ２１、時分針モータ２６、暦用駆動手段（カレンダ用モータ）３１、指針２、および日車３０を有して構成されている。
【００５７】
［８−３．時刻カウンタの構成］
時刻カウンタ４０４は、例えばタイムコードを記憶するプリセットカウンタ等で構成されており、分周回路４０１から出力される基準クロックを計数する。この時刻カウンタ４０４が時計体の内部時刻を示す。
【００５８】
［８−４．受信手段の構成］
受信手段４３０は、前述したアンテナ５０、回路基板５４、および回路ブロック７Ａに実装された受信用ＩＣを有して構成されている。制御部４０９の制御によって、受信手段４３０は長波標準電波を受信し、受信電波からデジタルデータである時刻情報（タイムコード）を取り出し、取り出したデータを時刻カウンタ４０４に出力する。これによって時刻カウンタ４０４の計数値が更新され、つまり受信した時刻情報に基づく内部時刻の修正が行われる。すなわち、受信手段４３０および制御部４０９により、電波修正手段４１２が構成されている。
【００５９】
なお、受信手段４３０が受信する長波標準電波の周波数は、日本国内においては、「おおたかどや山（東日本）」の標準電波出力局から発信される周波数４０ｋＨｚ、または「はがね山（西日本）」の標準電波出力局から発信される周波数６０ｋＨｚとなっている。
【００６０】
［８−５．指針位置修正手段の構成］
ここで、指針位置検出手段４０５、指針位置カウンタ４０６、指針位置内部時刻比較手段４０７、および制御部４０９により、指針位置修正手段４１１が構成されている。
指針位置検出手段４０５は、図７に示すように、秒針２Ａの位置を検出して秒針位置検出信号を出力する秒針位置検出手段４０５Ａと、分針２Ｂおよび時針２Ｃの位置を検出して時分針位置検出信号を出力する時分針位置検出手段４０５Ｂとを備えている。
これらの秒針位置検出手段４０５Ａ、時分針位置検出手段４０５Ｂはそれぞれ、発光素子６である発光ダイオード（ＬＥＤ；Light Emitting Diode）４５１と、受光素子７であるフォトトランジスタ４５２とを備えている。
なお、フォトトランジスタ４５２に接続される抵抗４５５の抵抗値は、秒針位置検出手段４０５Ａ、時分針位置検出手段４０５Ｂで各々最適化すればよい。
【００６１】
このような指針位置検出手段４０５では、ステッピングモータの１ステップ毎に、指針位置の検出動作を行う。
図８は、指針位置検出のフロー図である。例えば秒針２Ａの位置検出は時刻カウンタ４０４の毎正分に開始され、フォトトランジスタ４５２のエミッタをＶＤＤからＶＳＳにして受光可能な状態とし、定電流源４５３のスイッチであるトランジスタ４５４をオンさせてＬＥＤ４５１に定電流を流してＬＥＤ４５１を発光させる（Ｓ１１）。
【００６２】
このとき、検出孔２２１Ａ，２２３Ａが重なっていれば、ＬＥＤ４５１の光がフォトトランジスタ４５２に入射し、フォトトランジスタ４５２に電流が流れるため、秒針２Ａの位置が基準位置に一致することが検出される（Ｓ１２でＹ）。この場合は位置検出処理を終了し、秒針位置検出手段４０５Ａから制御部４０９および指針位置カウンタ４０６に位置検出信号を出力する。
【００６３】
一方、ＬＥＤ４５１の光がフォトトランジスタ４５２に入射せず、フォトトランジスタ４５２に電流が流れない場合は（Ｓ１２でＮ）、秒針２Ａの位置が時刻カウンタ４０４の計数値に対してずれている。この場合は、検出孔２２１Ａ，２２３Ａが重なり秒針２Ａの位置が検出できるまで、秒針モータ２１にモータパルスが１発ずつ出力されて秒針が駆動される都度、つまりステッピングモータの１ステップ毎に（Ｓ１３）、検出動作Ｓ１１，Ｓ１２を続行する。検出開始後、遅くとも秒針２Ａが１周するまでに、秒針２Ａの位置が基準位置に一致するので、一致した時点で位置検出処理を終了し、秒針位置検出手段４０５Ａから制御部４０９および指針位置カウンタ４０６に位置検出信号を出力する。
時分針位置検出手段４０５Ｂによる時針２Ｃおよび分針２Ｂの位置検出動作についても、以上の秒針位置検出手段４０５Ａによる位置検出動作と同様に行われる。
【００６４】
ここで、本実施形態におけるこの１ステップ毎の指針位置検出では、１ステップ駆動された輪列の挙動がおさまってから、ＬＥＤ４５１およびフォトトランジスタ４５２を動作させている。つまり、このＬＥＤ４５１およびフォトトランジスタ４５２を動作させる駆動パルスの位相とモータパルスの位相とは互いにずらしてある。
【００６５】
指針位置カウンタ４０６は、指針位置検出手段４０５からの指針位置検出信号の入力によって「０」にリセットされるとともに、駆動信号発生回路４０２からの駆動信号をカウントする。これにより、指針位置カウンタ４０６の計数値は指針２の位置に同期する。
【００６６】
指針位置内部時刻比較手段４０７は、時刻カウンタ４０４で計数されている内部時刻（現時刻）の計数値と、指針位置カウンタ４０６の計数値とを比較し、これらが互いに不一致の場合には、内部時刻の計数値に指針位置カウンタ４０６の計数値が一致するまで、駆動信号発生回路４０２に制御信号を送る。これにより、駆動信号発生回路４０２は駆動信号を時刻表示駆動回路４０３、および指針位置カウンタ４０６に出力して秒針２Ａを早送りし、現時刻に移動させる。その後、通常運針を実施する。
【００６７】
このように、指針位置検出手段４０５による秒針２Ａの位置検出結果と、時刻カウンタ４０４の計数値とに基いて、秒針２Ａの位置が毎分自動的に修正される。
また、時針２Ｃおよび分針２Ｂについても同様に、指針位置検出手段４０５による時分針２Ｃ，２Ｂの位置検出結果と、時刻カウンタ４０４の計数値とに基いて、０時０分または１２時０分に１２時間毎に自動的に修正される。
【００６８】
［８−６．電源ブロックの構成］
電圧検出手段４０８は、発電部４で発電された電気エネルギーが蓄電される蓄電部４０の電圧を検出し、その電圧値を示す電圧検出信号を出力する。この電圧検出信号は、制御部４０９および指針位置検出手段４０５に出力される。
【００６９】
発電部４は、本実施形態では、太陽光などの外部エネルギーを取り込み、それらの電気エネルギーに変化するソーラパネル（ソーラ発電機）であるが、このほか、回転錘の動力を電力に変換する電磁発電機や、熱発電機や、ピエゾ発電機等であってもよい。
【００７０】
［８−７．制御部の内部構成］
図９は、制御部４０９の内部構成の一部を示す。制御部４０９は、外部操作部材５（図６）の操作により設定される修正フラグを記憶する修正フラグ記憶手段４０９Ａと、この修正フラグ記憶手段４０９Ａに記憶された修正フラグの状態に応じて時計１の時刻修正の実行を制御する修正制御手段４０９Ｂと、タイマーなどで構成され受信手段４３０の処理を定期的に行う受信スケジュール手段４０９Ｃとを有する。
【００７１】
修正フラグ記憶手段４０９Ａは、巻真５Ｄの引出しおよびボタン５Ｃの押下を検知するセンサに接続されており、本実施形態では、リューズ５Ａによって巻真５Ｄを二段引出した状態でボタン５Ｃが押された際に、修正フラグが修正有り状態を示す「１」に設定される。修正フラグは、通常時は修正無し状態を示す「０」に設定される二値のフラグである。
修正制御手段４０９Ｂは、修正フラグの状態に応じて指針位置修正手段４１１による指針位置修正の実行と、電波修正手段４１２による電波修正の実行とを制御する。これについては、フロー図を示して後述する。
【００７２】
受信スケジュール手段４０９Ｃは、時刻カウンタ４０４に基づいて受信手段４３０の受信動作を開始させる時刻および受信動作を終了する時刻を有するスケジュール情報を記憶している。このスケジュール情報は、例えば、１日に１回午前２時から２時５分まで時刻情報を受信するように設定される。通常、時刻情報は毎正分を１レコードの起点として毎秒１ビットずつ、６０秒で１レコードが発信されることから、この例では、計時情報の受信を５回繰り返すことが可能となっている。
【００７３】
本実施形態では、計時情報を１レコード受信したら、制御部４０９により、計時情報に含まれるパリティビットを参照して受信の成否を検証する。受信に成功していたら、本実施形態では計時情報の受信処理を終了し、受信手段４３０は、受信した計時情報を時刻カウンタ４０４に出力して時刻カウンタ４０４の計数値を更新する。これを受けて、修正フラグ記憶手段４０９Ａにおける修正フラグは「０」にリセットされる。
【００７４】
［９．指針位置修正の実行について］
指針位置修整手段４１２による指針位置修正の実行について簡単に説明する。
時計１の制御部４０９は、図１０に示すように、時計１の起動時またはシステムリセット時であることを検出すると（Ｓ２１）、時分秒指針位置修正処理を実行する（Ｓ２００）。
また、制御部４０９は、時刻カウンタ４０４で計数されている内部時刻（現時刻）が０時０分０秒または１２時０分０秒であるか否かを判定し（Ｓ２２）、その時刻であれば、時分秒指針位置修正処理を実行する（Ｓ２００）。
さらに、制御部４０９は、時刻カウンタ４０４で計数されている内部時刻（現時刻）が毎正分、つまり０秒であるか否かを判定し（Ｓ２３）、その時刻であれば、毎正分の秒針位置修正処理を実行する（Ｓ２３０）。
【００７５】
［１０．指針位置修正の制御について］
以上説明した構成の電波修正時計１においては、外部操作部材５により手動で時刻修正された場合における指針位置修正の実行制御に主な特徴を有するため、以下これについて説明する。
図１１は、本実施形態の時計１における時刻修正の工程例を示す。Ｓ１〜Ｓ４までの各工程は、前掲の図１７における工程Ｓ１〜Ｓ４と同様であり、工程Ｓ２で磁気を受けたことによって運針が停止して時刻表示が４分５秒間遅れ、工程Ｓ４でこの遅れに気づいたユーザーが外部操作部材５を操作して時刻修正を行った例である。
【００７６】
ここで、秒針２Ａの位置修正は図１０のＳ２３に示したように、毎分０秒時に行われているため、時刻表示に狂いが生じた図１１中Ｓ２の後、速やかに秒針位置修正工程Ｓ３が行われる。これにより、秒の狂いが修正されて遅れは４分間となる。
そして、工程Ｓ４の手動修正時は、この４分間の遅れに対応して時分針２Ｃ，２Ｂを４分間進め、時報などに合わせて０秒時にリューズ５Ａを押し戻す。この手動時刻修正により、指針２による時刻表示は実際の時刻に合うが、時刻カウンタ４０４における計数値は４分間進むこととなる。
【００７７】
そして、時計内部の時刻カウンタ４０４が０時０分または１２時０分を数えると、通常の場合であれば時分秒の各指針の位置修正が行われるが、手動修正が行われているため、０時０分または１２時０分の指針位置修正工程Ｓ５では時針２Ｃおよび分針２Ｂの位置修正を行わない。
すなわち、時刻カウンタ４０４の計数値はＳ４の手動修正時に実際の時刻より１分以上（本実施形態では４分間）進んでいるため、ここで時刻カウンタ４０４の計数値に時針２Ｃおよび分針２Ｂの位置を一致させる位置修正を行うと、Ｓ４で時刻修正したにも関わらず、表示時刻が実際の時刻よりも進んでしまうためである。
仮に、時分針２Ｃ，２Ｂの位置修正を行うことで図１７のＳ８のように表示時刻がずれてしまうと、本実施形態では電波受信成功時に時分針２Ｃ，２Ｂの位置修正を行わないため、電波修正が実行されても表示時刻が実際の時刻に対してずれたままとなる。
【００７８】
本実施形態では、指針位置修整工程Ｓ５の後、午前２時に電波修正工程Ｓ６が実施され、これによって時刻カウンタ４０４の計数値が受信した時刻情報に修正される（Ｓ７）。なお、本例では、水晶発振の精度などに起因してＳ６の時点で時刻カウンタ４０４が実際の時刻よりも１秒間遅れたが、この遅れは受信した時刻情報に基づいて修正される。
【００７９】
図１２および図１３は、図１１の工程のうち、特にＳ４、Ｓ５、およびＳ６について示すフロー図である。
すなわち、工程Ｓ４で手動修正を行うと（Ｓ４１でＹ）、修正フラグ（Ｓフラグ）が立ち（Ｓ４２）、この修正フラグが「１」である間は、通常工程Ｓ００とは異なる修正制御工程Ｓ９０が行われる。
この修正制御工程Ｓ９０（図１３）では、電波受信スケジュールや強制受信操作に基づいて標準電波受信を実施するか否かを検出しつつ（Ｓ６１）、時刻カウンタ４０４を参照して０時０分または１２時０分であるかを判定する（Ｓ５１）。修正制御工程Ｓ９０では、修正制御手段４０９Ｂにより、０時０分または１２時０分の際に時分指針位置修正を行わないように制御される（Ｓ５２）。
すなわち、電波修正工程Ｓ６０が行われて電波受信が成功するまで（Ｓ６２でＹ）、修正フラグをリセットせずに時分指針位置修正を行わない。
【００８０】
電波修正工程Ｓ６０では、電波受信に成功したら、内部時刻カウンタ４０４を修正し（Ｓ６３）、修正制御手段４０９Ｂにより、修正フラグを「０」にリセットする（Ｓ９１）。ここで、内部時刻カウンタ４０４の修正はＳ６３で行うが、秒針の位置修正のみ行い時針および分針の位置修正を行わずに（Ｓ９２）、通常工程Ｓ００に復帰する。これは、Ｓ４１で時刻修正した後、時計の水晶の発振周波数の誤差により、正確な時刻から１日にコンマ数秒ズレてしまうために、秒針２Ａは修正された時刻カウンタ４０４の計数値と一致するよう修正させる。
本実施形態では、図１１のＳ４のように、時報に合わせて正確に指針位置が手動修正されたので、指針による時刻表示は実際の時刻と一致している（図１１のＳ５）。
【００８１】
通常工程Ｓ００では、判定Ｓ５１により、時分針位置修正工程Ｓ５５´を０時０分または１２時０分に実施する。この時分針位置修正工程Ｓ５５´は、時分指針位置検出実施Ｓ５５１´から検出動作Ｓ１１〜Ｓ１３（図８）を含む指針位置検出工程と、時分時刻表示修正工程Ｓ５５２´とを備えている。
ここで、手動修正がラフに行われて時刻表示が多少正確でない場合でも、電波修正工程Ｓ６０（図１３）のＳ６３における時刻カウンタ４０４の修正後に到来した時分針位置修正工程Ｓ５５´（図１２）において、時刻カウンタ４０４に一致するように時分の指針位置が正確に修正される。
【００８２】
なお、通常工程Ｓ００においても、定期的または強制的に標準電波の受信処理が行われるが、図１２ではその記載を省略した。また、図１２、図１３において、秒針２Ａの指針位置修正の記載を省略したが、実際は、秒針位置修正が修正フラグの状態に関わらず毎正分に行われている（図１０参照）。これらの省略は、後述する図１４、図１５でも同様である。
【００８３】
［１１．本実施形態による効果］
本実施形態によれば、次のような効果を得ることができる。
（１）時計１が修正制御手段４０９Ｂおよび修正制御工程Ｓ９０を備えることにより、外乱等でずれた指針２の位置をユーザーが外部操作部材５で手動修正することによって時刻カウンタ４０４の計数が実際の時刻に対してずれても、この誤った時刻カウンタ４０４の計数値に基づいて時分針２Ｃ，２Ｂの位置が修正される不具合を回避できる。
これにより、時刻修正が自動でかつ正確に行われる電波修正時計としての時計１の取扱性を向上させることができる。
【００８４】
（２）電波修正手段４１２による電波修正工程Ｓ６０において、計時情報の受信に成功した際に、時刻カウンタ４０４の計数値のみを修正し、時分針の位置修正は、受信成功後に到来した時分針の指針位置修正工程Ｓ５５´の次回周期において行うので、電波修正工程Ｓ６０から通常運針に迅速に復帰する。これにより、取扱性をより向上させることができる。
【００８５】
（３）指針位置修正手段４１１により、秒針２Ａの位置修正は毎分行われるので（Ｓ２３０）、時刻表示の進みまたは遅れが１分以内の場合、秒針２Ａの位置が自動修正される前にユーザーがその遅れや進みに気づく可能性を低くできる。
【００８６】
（４）ステッピングモータで駆動される指針２の位置をステッピングモータの１ステップ毎に検出することにより、ステッピングモータの駆動パルスを計数する簡単な処理によって指針２の位置を検出することが可能となる。
【００８７】
（５）指針位置検出手段４１１が検出孔に光を通す発光素子６および受光素子７により構成されているため、磁気式センサなどと比べて、指針位置検出手段４１１の構成を簡略化できる。
また、時分秒針がそれぞれ基準位置にあるときにのみ各検出孔２７１，２７２，２７３，２２２，２７５の位置が互いに一致するように各車の位相を設定しているので、０時０分０秒における時分秒針の帰零の検出を時分針に共通の発光素子６および受光素子７で行うことが可能となり、構成をより簡略にできる。
【００８８】
〔第２実施形態〕
次に、本発明の第２実施形態について図１４および図１５のフロー図を参照して説明する。
本実施形態における電波修正時計の構成および制御は、第１実施形態で示した電波修正時計の構成および制御と基本的には同様である。
但し、本実施形態において、電波修正手段４３０（図６）は、電波受信に成功した際に指針位置修正手段４１１に時分秒の位置修正を行わせる。
これにより、本実施形態の修正制御工程Ｓ１００（図１５）では、午前２時開始の電波受信に成功した際に（Ｓ６２でＹ）、受信した時刻情報に基づいて内部時刻カウンタ４０４を修正するとともに（Ｓ６３）、時分秒の指針位置修正工程Ｓ５５を行う。
【００８９】
指針位置修正工程Ｓ５５は、指針位置検出実施Ｓ５５１から検出動作Ｓ１１〜Ｓ１３（図８）を含む指針位置検出工程と、時分秒時刻表示修正工程Ｓ５５２とを備え、時分も含めた時分秒針の位置が時刻カウンタ４０４の計数値にそれぞれ一致するように修正する。
【００９０】
本実施形態によれば、第１実施形態の効果（１）、（３）〜（５）に加えて、次のような効果を得ることができる。
（６）修正制御工程Ｓ１００において、計時情報の受信が成功した際に、受信した計時情報に修正された時刻カウンタ計数値に基づいて時針２Ｃおよび分針２Ｂの位置修整を行うので、時刻表示が１分以上ずれていても時分針の位置修正工程Ｓ５５´の次回周期の到来を待つことなく、時分針２Ｃ，２Ｂの位置を早期に修正することができる。
【００９１】
〔本発明の変形例〕
本発明は、前述の各実施形態に限定されない。本発明の要旨を逸脱しない範囲で各種の変形や改良が許容される。
【００９２】
例えば、前記各実施形態は、秒針モータ２１と時分針モータ２６との２モータ構成の例であったが、秒モータが無く時分モータのみの場合もある。このような場合、秒の表示はＬＣＤ（Liquid Crystal Display）で行ってもよく（ハイブリッド表示）、指針位置修正は時分針についてのみ行う。
さらに、前記各実施形態とは異なり、時針を駆動する時モータと、分針および秒針を駆動する分秒モータとの２モータ構成も本発明に適用できる。この構成の場合、分針および秒針の針位置検出を６０分毎（毎正時）に定期的に行うことが可能となる。
【００９３】
また、前記各実施形態では、指針位置を修正する際に、指針を正転させて修正していたが、これに限らず、逆転させて修正する構成でもよい。
なお、磁気や衝撃で時刻が遅れる例を示したが、逆転運針の際に外乱が生じてモータが停止したなどの場合は、時刻表示が進んでしまう例もある。本発明では、時刻表示が進んでいても遅れていても、修正制御手段または修正制御工程により、指針位置を問題なく修正できる。
【００９４】
さらに、前記各実施形態では、電波修正は午前２時にスケジュールされていたが、電波修正を行うのは他の時間でもよい。
ここで、時分の指針位置修正が行われる例えば０時または１２時の前のタイミング、すなわち１１時などに電波受信を行う構成とすることも検討できる。このように時分指針位置修正と電波受信とを行うタイミングを設定すれば、１１時より前の手動修正によりずれた内部時刻が電波受信成功の際に修正され、この内部時刻に合わせて時刻表示が修正される。すなわち１１時から０時または１２時までの間に外乱で指針が狂い手動修正がなされた場合を除き、０時または１２時において修正フラグは立っておらず、１２時間毎に時分の指針位置修正が行われる。
このように、電波受信を行うタイミングが時分指針位置修正に先行するように予め設定することにより、ラフに手動修正された場合でもその時刻表示が次の０時または１２時まで継続しない。
【００９５】
また、前記各実施形態では、各指針の位置修正を０時または１２時、毎正分などの周期で定期的に行っていたが、これに限らず、例えば毎分ではなく１分おき、数分おきに秒針の位置修正を行ったりしてもよい。また、時分秒の位置修正を毎正時などの同じタイミングでまとめて行ってもよい。さらには、指針位置の修正を定期的に行わずに例えばユーザーの操作によって実行したり、所定条件に基づいて自動実行したりしてもよい。
【００９６】
そして、第１実施形態における修正制御工程Ｓ９０のＳ６１において、スケジュールされた定期実行の場合かユーザーの操作による強制実行の場合かどうかを判断し、強制実行の場合は、第２実施形態の修正制御工程Ｓ１００のように受信成功した際に時分秒の指針位置修正を行うこととしてもよい。これにより、ユーザーの操作による強制実行の際には必ず指針位置を修正することができる。
【００９７】
前記各実施形態では、電波修正時計の適用例として腕時計を例示したが、これに限定されず、本発明は、懐中時計、置時計、掛け時計などにも適用できる。
【００９８】
本発明を実施するための最良の構成、方法などは、以上の記載で開示されているが、本発明は、これに限定されるものではない。すなわち、本発明は、主に特定の実施形態に関して特に図示され、かつ、説明されているが、本発明の技術的思想および目的の範囲から逸脱することなく、以上述べた実施形態に対し、形状、材質、数量、その他の詳細な構成において、当業者が様々な変形を加えることができるものである。
したがって、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００９９】
【図１】本発明の第１実施形態における電波修正時計の平面図（裏側）。
【図２】前記実施形態における時計の側断面図。
【図３】図１の部分拡大図。
【図４】指針位置検出のための検出孔が形成された歯車部材の側断面図。
【図５】外部操作部材の操作により、時刻修正を行う際の手順説明図。
【図６】制御手段の構成を示すブロック図。
【図７】指針位置検出手段の回路図。
【図８】指針位置検出のフロー図。
【図９】制御部の内部構成の一部を示すブロック図。
【図１０】指針位置修正の実行タイミングを示すフロー図。
【図１１】時刻修正の工程例を示す図。
【図１２】指針位置修正の制御工程を示すフロー図。
【図１３】修正制御工程を示すフロー図。
【図１４】本発明の第２実施形態における指針位置修正の制御工程を示すフロー図。
【図１５】修正制御工程を示すフロー図。
【図１６】従来の時刻修正の工程例を示す図。
【図１７】従来の時刻修正の工程例を示し、手動修正がなされた場合の不具合を示す図。
【符号の説明】
【０１００】
１・・・時計（電波修正時計）、２Ａ・・・秒針（指針）、２Ｂ・・・分針（指針）、２Ｃ・・・時針（指針）、５Ａ・・・リューズ（外部操作部材）、５Ｂ，５Ｃ・・・ボタン（外部操作部材）、６・・・発光素子、７・・・受光素子、２１・・・秒針モータ（駆動手段）、２６・・・時分針モータ（駆動手段）、２７１，２７２，２７３，２２２，２７５・・・五番車、三番車、二番車、四番車、筒車（連動部材）、２７１Ａ，２７２Ａ，２７３Ａ，２２２Ａ，２７５Ａ・・・検出孔、４０４・・・時刻カウンタ、４０５Ａ・・・秒針位置検出手段（指針位置検出手段）、４０５Ｂ・・・時分針位置検出手段（指針位置検出手段）、４０９Ｂ・・・修正制御手段、４１１・・・指針位置修正手段、４１２・・・電波修正手段、４３０・・・受信手段、Ｓ１１，Ｓ１２・・・検出動作、Ｓ５５・・・指針位置修正工程、Ｓ５５´・・時分針位置修正工程（指針位置修正工程）、Ｓ６０・・・電波修正工程、Ｓ９０，Ｓ１００・・・修正制御工程。
【図１】
2008064530.tif 000003
【図２】
2008064530.tif 000004
【図３】
2008064530.tif 000005
【図４】
2008064530.tif 000006
【図５】
2008064530.tif 000007
【図６】
2008064530.tif 000008
【図７】
2008064530.tif 000009
【図８】
2008064530.tif 000010
【図９】
2008064530.tif 000011
【図１０】
2008064530.tif 000012
【図１１】
2008064530.tif 000013
【図１２】
2008064530.tif 000014
【図１３】
2008064530.tif 000015
【図１４】
2008064530.tif 000016
【図１５】
2008064530.tif 000017
【図１６】
2008064530.tif 000018
【図１７】
2008064530.tif 000019